(57)【要約】【課題】  施工が簡単であるとともに施工精度と強度にも優れ、しかも施工費が安価に済む外壁構造を提供する。【解決手段】  外壁構造１は、延出部Ｅを有する枠組み壁パネルＰを複数用いて構成されている。枠組み壁パネルＰは、枠組み壁２に嵌め込まれて固定される構造を有しており、構造躯体と、その構造躯体の内側に装着される断熱材Ｄと、構造躯体の室外側となる面の上に固定される防水透湿シート３と、防水透湿シート３を介在させた状態で構造躯体の上に固定される通気受材６と、その通気受材６の上に張り付けられる外壁パネル５とを備えて構成されている。枠組み壁パネルＰは、通気受材６を有することから、防水透湿シート３と外壁パネル５との間に通気路７が形成されている。【選択図】    図２
2005179962.tif 000002
【特許請求の範囲】
【請求項１】
通気構法を施した枠組み壁工法による外壁構造であって、縦枠及び上下枠により構造躯体を形成し、該構造躯体の内側に断熱材を装着し、該断熱材の上で室外側となる前記構造躯体の上に防水透湿シートを固定し、該防水透湿シートを介在させた状態で前記構造躯体の上に通気受材を固定し、該通気受材の上に前記防水透湿シートとの間に通気路が形成されるように外壁パネルを固定した構造を有するとともに、前記構造躯体を枠組み壁の縦枠間に差し込み可能に形成し、さらには前記通気受材及び前記外壁パネルの一部に前記枠組み壁の前記縦枠を覆う延出部を形成した嵌め込み式の枠組み壁パネルを複数備える
ことを特徴とする外壁構造。
【請求項２】
請求項１に記載の外壁構造において、
前記延出部を構成する前記通気受材に嵌合係止部を形成する
ことを特徴とする外壁構造。
【請求項３】
請求項１又は請求項２に記載の外壁構造において、
前記防水透湿シートを前記延出部からはみ出す大きさに形成する
ことを特徴とする外壁構造。
【発明の詳細な説明】
【技術分野】
【０００１】
本発明は、外壁内部の結露発生防止に有効な通気構法を施した枠組み工法における外壁構造に関するものである。
【背景技術】
【０００２】
従来、通気構法を施した枠組み壁工法（ツーバイフォー工法）住宅の外壁構造においては、通常、枠組み壁の縦枠の室外側の側面上に下地材として構造用合板等を張り付け、その上に防水透湿シートを設けて覆い、その上にサイディング等の外壁パネルを張り付け施工する工法が行われてきた。しかし、近年、住宅における高気密高断熱化が進む中で、湿気の多い土地に建築された建物では、外壁の壁体内部におて、縦枠、上枠、下枠等により外部からの空気の流れが阻害され、壁体内部での結露発生が問題点になっていた。そこで、木材ムクからなる従来の通気受材を取り付けることにより、壁体内部の結露を防止するような構造が試みられ成果を上げたが、このような従来の木材ムクからなる通気受材による通気構法では、通気受材の強度が弱く、壁体の強度が低下するという、壁体の強度そのものに問題点があった。そのため、枠組み壁の縦枠に防水透湿シートを介して構造用合板などの木質積層材からなる通気受材を設け、その上に外壁パネルを直接張り付けて外壁パネルと防水透湿シートとの間に通気路を設けた外壁構造が用いられるようになってきた（例えば特許文献１参照。）。
【特許文献１】特開２００２−３６４０９１号公報  （第３−５頁、第１−２図）
【発明の開示】
【発明が解決しようとする課題】
【０００３】
ところで、上記従来技術にあっては、構造用合板等の木質積層材からなる通気受材が使用されているので、外壁構造の壁体としての強度、すなわち、壁倍率が著しく向上するようになってきた。しかしながら、縦枠等の枠組み材の上に木質積層材からなる通気受材を取り付けるためには、それ相応の手間と時間がかかるとともに、熟練工を必要とし、施工費も高くついてしまうことから、改善が望まれていた。
【０００４】
また、上記の通気受材を取り付けるためには、長さ５０〜６５ｍｍ程度の釘を釘ピッチ１００〜３００ｍｍ程度にして、かなりきめ細かく釘着する必要があり、この点からも施工性の改善が望まれていた。さらに、施工現場において、枠組み壁の縦枠及び上下枠の内側に断熱材等を装着する必要性があり、この点からも施工性の改善が望まれていた。
【０００５】
本発明は、上述した事情に鑑みてなされるもので、施工が簡単であるとともに施工精度と強度にも優れ、しかも施工費が安価に済む外壁構造を提供することを課題とする。
【課題を解決するための手段】
【０００６】
上記課題を解決するためなされた請求項１記載の本発明の外壁構造は、通気構法を施した枠組み壁工法による外壁構造であって、縦枠及び上下枠により構造躯体を形成し、該構造躯体の内側に断熱材を装着し、該断熱材の上で室外側となる前記構造躯体の上に防水透湿シートを固定し、該防水透湿シートを介在させた状態で前記構造躯体の上に通気受材を固定し、該通気受材の上に前記防水透湿シートとの間に通気路が形成されるように外壁パネルを固定した構造を有するとともに、前記構造躯体を枠組み壁の縦枠間に差し込み可能に形成し、さらには前記通気受材及び前記外壁パネルの一部に前記枠組み壁の前記縦枠を覆う延出部を形成した嵌め込み式の枠組み壁パネルを複数備えることを特徴としている。
【０００７】
このような特徴を有する本発明によれば、次のような施工が行われる。すなわち、外壁パネルに通気受材や防水透湿シートや構造躯体や断熱材を一体化して枠組み壁パネルを形成し、施工現場において、その枠組み壁パネルを枠組み壁の正面から、構造躯体側が枠組み壁の縦枠間に差し込まれるような状態で嵌め込みが行われる。そして、枠組み壁の縦枠を覆う枠組み壁パネルの延出部を利用して、その枠組み壁パネルの枠組み壁への固定が行われる。本発明によれば、上記構成の枠組み壁パネルを用いることから、施工現場での断熱材や防水透湿シートや通気受材や外壁パネルの個々の取り付けが不要になる。従って、枠組み壁パネルを用いた外壁構造は、施工性に大変優れたものになる。また、本発明によれば、枠組み壁パネルの延出部を釘打ち等の固定に利用することから、施工がきわめて簡単で、施工後の強度耐久性にも大変に優れたものになる。
【０００８】
請求項２記載の本発明の外壁構造は、請求項１に記載の外壁構造において、前記延出部を構成する前記通気受材に嵌合係止部を形成することを特徴としている。このような特徴を有する本発明によれば、施工時において、嵌合係止部を利用して隣り合う外壁パネル同士のつなぎ目を極めて簡単にジョイントすることが可能になる。このようなジョイントにより、施工精度が向上するとともに、施工後の壁体としての壁倍率を高くすることが可能になる。本発明によれば、施工性が更に優れたものになる。また、本発明によれば、施工精度と強度も大変優れたものになる。
【０００９】
請求項３記載の本発明の外壁構造は、請求項１又は請求項２に記載の外壁構造において、前記防水透湿シートを前記延出部からはみ出す大きさに形成することを特徴としている。このような特徴を有する本発明によれば、施工時において、隣り合う枠組み壁パネル同士の各防水透湿シートを重ね合わせて隙間の発生を阻止することが可能になる。従って、防水透湿シートの機能を確実に発揮させることが可能になる。
【発明の効果】
【００１０】
本発明によれば、外壁パネルに予め通気受材や防水透湿シートや構造躯体や断熱材を設けて一体化していることから、従来よりも施工性を向上させることができる。また、これに伴って施工費を安価にすることができる。さらに、延出部を形成してこれを利用することから、壁体の強度耐久性を従来よりも向上させることができる。さらにまた、延出部の通気受材に嵌合係止部を形成してこれを利用することから、施工精度及び壁体の強度耐久性を従来よりも向上させることができる。さらにまた、隣り合う枠組み壁パネル同士の各防水透湿シートを重ね合わせるようにしていることから、防水透湿シートの機能を確実に発揮させることができる。
【発明を実施するための最良の形態】
【００１１】
以下、図面を参照しながら説明する。
図１は本発明の外壁構造の一実施の形態を示す正面図である。また、図２は図１のＡ−Ａ線断面図、図３は枠組み壁パネル同士の嵌合係止を説明するための要部拡大断面図、図４は嵌合係止部の他の例を示す図であり、（イ）は相じゃくり接合の断面図、（ロ）は他の相じゃくり接合の断面図、（ハ）は雇実接合の断面図である。
【００１２】
図１及び図２において、通気構法を施した枠組み壁工法（ツーバイフォー工法）による本発明の外壁構造１は、延出部Ｅを有する枠組み壁パネルＰを複数用いて構成されている。枠組み壁パネルＰは、枠組み壁２に嵌め込まれて固定される構造を有しており、構造躯体と、その構造躯体の内側に装着される断熱材Ｄと、構造躯体の室外側となる面の上に固定される防水透湿シート３と、防水透湿シート３を介在させた状態で構造躯体の上に固定される通気受材６と、その通気受材６の上に張り付けられる外壁パネル５とを備えて構成されており、上記構成を一体化することが一つの特徴になっている。このような構成の枠組み壁パネルＰは、通気受材６を有することから、防水透湿シート３と外壁パネル５との間に通気路７が形成されている。以下、各構成について詳細に説明する。
【００１３】
上記枠組み壁２は、基礎１４と、その基礎１４の上に載置される土台１０と、土台１０の上に構成される縦枠Ｔ、端根太８及び９、頭つなぎ１３とを備えており、図１に示されるような構造に形成されている。このような枠組み壁２には、垂直方向の躯体としての縦枠Ｔと、水平方向の躯体としての端根太８及び９や頭つなぎ１３とで空間が形成されている。その空間には、枠組み壁パネルＰの上記構造躯体が差し込まれるようになっている。枠組み壁パネルＰは、枠組み壁２に対して嵌め込み式となる施工がなされるようになっている。
【００１４】
枠組み壁パネルＰの上記構造躯体は、特に限定するものではないが、所定の間隔で配置される三本の縦枠４と、その縦枠４の上端に固定される上枠１１と、縦枠４の下端に固定される下枠１２とを備えて構成されている。構造躯体は、その正面視の形状が矩形形状となるように形成されている。左右両側の縦枠４は、枠組み壁２の縦枠Ｔの間隔に応じて配置されている。すなわち、左右両側の縦枠４は、枠組み壁２の縦枠Ｔの間に差し込まれると、縦枠Ｔに対して若干の隙間（遊び）が生じるように配置されている。また、同様に、上枠１１及び下枠１２も若干の隙間が生じるように配置されている。
【００１５】
上記の縦枠４、上枠１１、下枠１２、縦枠Ｔ、端根太８及び９、土台１０、頭つなぎ１３等の材料としては、栂材、ベイツガ材、スプルース材、スギ材、ヒノキ材、又はこれらの集成材が挙げられる（これら以外でもよいものとする）。縦枠Ｔは、本形態において、縦枠４を横方向に三本接着して柱状にしたものが用いられている。
【００１６】
上記断熱材Ｄは、接着剤又はステープル或いはこれらを併用することにより構造躯体の内側に装着されている。断熱材Ｄは、構造躯体の室内側に張り付けられる内装壁下地材Ｗの上方であって防水透湿シート３側となる位置に装着されている。
【００１７】
上記防水透湿シート３は、湿気を通すが水分は通さないものであって、構造躯体の上にステープル等の機械的手段で貼着され、固定されている。防水透湿シート３としては、例えばデュポン社製の商品名「タイベック」などが好適なものとして挙げられる。防水透湿シート３は、上記延出部Ｅからはみ出すように、すなわち、はみ出し部Ｚ（図３参照）を有する大きさに形成されている。はみ出し部Ｚ（図３参照）は、隣り合う枠組み壁パネルＰ同士の各防水透湿シート３を重ね合わせるために設けられている。
【００１８】
上記通気受材６は、縦通気受材６ａ〜６ｃと横通気受材６ｄの二種が用いられており、それぞれ防水透湿シート３と外壁パネル５の裏面との間に位置するように取り付けられている。具体的に説明すると、上下方向（縦方向）にのびる縦通気受材６ａ及び６ｃは、防水透湿シート３を介在させた状態で構造躯体の左右両側の縦枠４と、外壁パネル５の裏面の左右両端部との間に位置するように取り付けられている。また、同じく上下方向（縦方向）にのびる縦通気受材６ｂは、防水透湿シート３を介在させた状態で構造躯体の中央の縦枠４と、外壁パネル５の裏面の中央との間に位置するように取り付けられている。また、左右方向（横方向）にのびる横通気受材６ｄは、防水透湿シート３と外壁パネル５の裏面の上下両端部近傍との間に位置するように取り付けられている。
【００１９】
縦通気受材６ａ〜６ｃと横通気受材６ｄとの間には、約１０〜３０ｍｍ程度の隙間が形成されている。その隙間は、上記通気路７に相当する部分であって、隙間を介して壁体内の空気が流通するようになっている。
【００２０】
縦通気受材６ａ及び６ｃは、上記延出部Ｅを形成するために、その一部が構造躯体の左右両側の縦枠４からはみ出すように取り付けられている。縦通気受材６ａ及び６ｃは、上述の如く外壁パネル５の左右両端部に位置するように取り付けられていることから、縦通気受材６ａ及び６ｃと外壁パネル５の左右両端部とが上記延出部Ｅとして構成されている。上記延出部Ｅは、隣り合う枠組み壁パネルＰの延出部Ｅと共に枠組み壁２の縦枠Ｔの表面を覆うサイズに形成されている。
【００２１】
上記延出部Ｅを構成する縦通気受材６ａ及び６ｃには、嵌合係止部が形成されている。その嵌合係止部は、図２及び図３に示される如く、縦通気受材６ａ及び６ｃの各側面に形成されている。すなわち、縦通気受材６ａの側面には、嵌合凸部Ｋが形成されている。また、縦通気受材６ｃの側面には、嵌合凸部Ｋが嵌合する嵌合凹部Ｕが形成されている。縦通気受材６ａの嵌合凸部Ｋには、隣り合う枠組み壁パネルＰの縦通気受材６ｃの嵌合凹部Ｕが嵌合するようになっている。嵌合凸部Ｋと嵌合凹部Ｕとが嵌合することにより、互いが係止されるようになっている。このような嵌合係止部は、枠組み壁パネルＰ同士を強固にしかも精度よく施工するために設けられている。
【００２２】
尚、嵌合凸部Ｋと嵌合凹部Ｕとが嵌合すると、延出部Ｅと枠組み壁２の縦枠Ｔとの間では、防水透湿シート３同士のはみ出し部Ｚが隙間なく重なり合うようになっている。枠組み壁２の縦枠Ｔの表面は、防水透湿シート３を介在させた状態で延出部Ｅにより被覆されるようになっている。嵌合係止部の他の例は図４を参照しながら後述する。
【００２３】
通気受材６、すなわち縦通気受材６ａ〜６ｃと横通気受材６ｄの材料としては、木材ムク、構造用合板やＬＶＬ等の木質積層材の他、合成樹脂成型体、金属製等種々の材料が挙げられる。これら材料の中では、木質積層材、合成樹脂成型体が強度耐久性能、加工適正、成型適正、コスト、入手し易さ、施工性等の観点から好適なものとする。
【００２４】
上記木質積層材の樹種は、ラワン、ジョンコン、メランティー、カポール、アピトンなどが一般的であるが、これら以外であってもよいものとする。耐久性能を考えるとレゾルシノール、フェノール、メラミン樹脂系の特類又は１類の構造用合板がいっそう好適であるものとする。通気受材６の厚みはおよそ５〜３０ｍｍ程度が好適な範囲であるが、これに限定されないものとする。
【００２５】
上記外壁パネル５は、上述の如く、通気受材６の表面に取り付けられている。外壁パネル５は、乾式工法において、サイディング材の下地材、又はサイディング材そのものであってもよいものとする。また、湿式工法においては、モルタル下地パネル又はモルタル仕上げ済みのパネルであってもよいものとする。サイディング材等の外壁の下地材としては、構造用合板、ＯＳＢ等が挙げられる。サイディング材等の外壁材としては、従来からある、窯業系サイディング材の他、金属系サイディング材、木質系サイディング材などが好適なものとして挙げられる。
【００２６】
尚、外壁パネル５が仕上げパネルの場合には、施工時、外壁パネル５の表面から釘Ｎを用いて釘打ち固定することができないため、縦通気受材６ａ及び６ｃから枠組み壁２の縦枠Ｔに向けて釘打ちし、枠組み壁パネルＰを固定するものとする。一方、外壁パネル５が仕上げパネルでなく、下地パネルの場合には、外壁パネル５の表面から枠組み壁２の縦枠Ｔに向けて釘打ちし、枠組み壁パネルＰを固定するものとする（図１及び図２に示されるのは、外壁パネル５が下地パネルの場合である）。
【００２７】
次に、上記構成に基づいて本発明の外壁構造１の施工手順を説明する。施工は以下の（１）〜（５）を順に行うものとする。
【００２８】
（１）基礎１４の上に土台１０を載置し、その上に縦枠Ｔ、端根太８及び９、頭つなぎ１３を組み合わせ、枠組み壁２を構成する。
【００２９】
（２）一枚目の枠組み壁パネルＰを枠組み壁２の上記空間に差し込むような状態で、その枠組み壁パネルＰを釘Ｎで張り付ける（釘Ｎの長さ５０〜６５ｍｍ、釘ピッチ約１００〜２００ｍｍ）。この時、外壁パネル５（一枚目の外壁パネル５ａ）が仕上げパネルの場合は、縦通気受材６ａに形成された嵌合凸部Ｋに釘打ちをして一枚目の枠組み壁パネルＰを固定する。一方、外壁パネル５（一枚目の外壁パネル５ａ）が下地パネルの場合には、その外壁パネル５（一枚目の外壁パネル５ａ）の表面から釘打ちをして一枚目の枠組み壁パネルＰを固定する。
【００３０】
（３）二枚目の枠組み壁パネルＰを一枚目の枠組み壁パネルＰの隣に釘Ｎで張り付ける（釘Ｎの長さ５０〜６５ｍｍ、釘ピッチ約１００〜２００ｍｍ）。この時、二枚目の枠組み壁パネルＰの縦通気受材６ｃに形成された嵌合凹部Ｕを一枚目の枠組み壁パネルＰの縦通気受材６ａに形成された嵌合凸部Ｋに嵌合させる。外壁パネル５（二枚目の外壁パネル５ｂ）が下地パネルの場合は、その外壁パネル５（二枚目の外壁パネル５ｂ）の表面から釘打ちをして二枚目の枠組み壁パネルＰを固定する。尚、枠組み壁２の縦枠Ｔの上（表面）では、隣り合う枠組み壁パネルＰ同士の各防水透湿シート３のはみ出し部Ｚが重なり合うが、その重なり合いに隙間が生じてないか注意する。
【００３１】
（４）三枚目以降の枠組み壁パネルＰも同様にして釘Ｎで張り付ける（釘Ｎの長さ５０〜６５ｍｍ、釘ピッチ約１００〜２００ｍｍ）。
（５）外壁パネル５が下地パネルの場合は、その外壁パネル５の上に仕上げ張り又は仕上げ塗りを行う。
以上の手順を経て施工が完了する。
【００３２】
続いて、図４を参照しながら嵌合係止部の他の例を説明する。
図４（イ）及び（ロ）において、各図の縦通気受材６ａ及び６ｃには、互いに嵌合し合う嵌合凸部Ｋ及び嵌合凹部Ｕを有するクランク形状の切欠段部Ｓが形成されている。図４（ハ）において、縦通気受材６ａ及び６ｃには、雇実Ｙが設けられている。雇実Ｙ等の材料としては、木材ムク、構造用合板やＬＶＬ等の木質積層材の他、合成樹脂成型体、金属製等種々の材料が挙げられる。これら材料の中では、木質積層材、合成樹脂成型体が強度耐久性能、加工適正、成型適正、コスト、入手し易さ、施工性等の観点から好適なものとする。以上のような他の例の嵌合係止部は、上述と同様に、枠組み壁パネルＰ同士を強固にしかも精度よく施工するために設けられている。
【００３３】
尚、上述の嵌合係止部の他に、例えばスカーフジョイント、ダボ接合、ほぞ接合、組継ぎ接合、蟻組継ぎ接合等が適用可能であるものとする。
【００３４】
以上、図１ないし図４を参照しながら説明してきたように、外壁パネル５に予め通気受材６や防水透湿シート３や構造躯体や断熱材Ｄを設けて一体化していることから、従来よりも施工性を向上させることができる。また、これに伴って施工費を安価にすることができる。さらに、延出部Ｅを形成してこれを利用することから、壁体の強度耐久性を従来よりも向上させることができる。さらにまた、延出部Ｅの通気受材６（縦通気受材６ａ及び６ｃ）に嵌合係止部（嵌合凸部Ｋ及び嵌合凹部Ｕ、雇実Ｙ）を形成してこれを利用することから、施工精度及び壁体の強度耐久性を従来よりも向上させることができる。さらにまた、隣り合う枠組み壁パネルＰ同士の各防水透湿シート３を重ね合わせるようにしていることから、防水透湿シート３の機能を確実に発揮させることができる。
【００３５】
その他、本発明は本発明の主旨を変えない範囲で種々変更実施可能なことは勿論である。
【図面の簡単な説明】
【００３６】
【図１】本発明による外壁構造の一実施の形態を示す正面図である。
【図２】図１のＡ−Ａ線断面図である。
【図３】枠組み壁パネル同士の嵌合係止を説明するための要部拡大断面図である。
【図４】嵌合係止部の他の例を示す図であり、（イ）は相じゃくり接合の断面図、（ロ）は他の相じゃくり接合の断面図、（ハ）は雇実接合の断面図である。
【符号の説明】
【００３７】
１  外壁構造
２  枠組み壁
３  防水透湿シート
４  縦枠（スタッド）
５  外壁パネル
５ａ  一枚目の外壁パネル
５ｂ  二枚目の外壁パネル
６  通気受材
６ａ〜６ｃ  縦通気受材
６ｄ  横通気受材
７  通気路
８、９  端根太
１０  土台
１１  上枠
１２  下枠
１３  頭つなぎ
１４  基礎
Ｄ  断熱材
Ｅ  延出部
Ｋ  嵌合凸部
Ｎ  釘
Ｐ  枠組み壁パネル
Ｓ  切欠段部
Ｔ  縦枠
Ｕ  嵌合凹部
Ｗ  内装壁下地材
Ｙ  雇実
Ｚ  はみ出し部
【図１】
2005179962.tif 000003
【図２】
2005179962.tif 000004
【図３】
2005179962.tif 000005
【図４】
2005179962.tif 000006